(57)【要約】本発明は、マイクロストリップラインからスロットラインへの遷移のための遷移回路に関する。本発明によれば、遷移回路のスロットライン（２）は、マイクロストリップライン（１）およびスロットライン（２）が交差する区域内のスロットラインに、信号の少なくとも１つの望ましい周波数について開放回路のインピーダンスにほぼ等しいインピーダンス、および信号の少なくとも１つの望ましくない周波数について短絡のインピーダンスにほぼ等しいインピーダンスを与えるためのフィルタ（ＳＢＦｓ）を備える。有利には、マイクロストリップラインは、交差区域内のマイクロストリップラインに、望ましい周波数について短絡のインピーダンスにほぼ等しいインピーダンス、および望ましくない周波数について開放回路のインピーダンスにほぼ等しいインピーダンスを与えるためのフィルタ（ＳＢＦｍ）も備える。
2015505198.tif 000002
【特許請求の範囲】
【請求項１】
マイクロストリップラインからスロットラインへの遷移のための回路であって、
−グランドプレーンを備えた基板（Ｓ）と、
−前記グランドプレーンから予め定められた距離で前記基板に実現されると共に第１の入力／出力ポート（Ｐ１）から延びるマイクロストリップライン（１）、および前記マイクロストリップラインにほぼ垂直に第２の入力／出力ポート（Ｐ２）まで延び、前記遷移回路のいわゆる結合区域（Ｚ）において前記マイクロストリップラインに交差するスロットライン（２）を形成する前記グランドプレーンに実現されたスロットと、
を備え、
前記マイクロストリップラインが、前記第１の入力／出力ポートと前記結合区域の間で信号を伝える第１のマイクロストリップライン部分（１１）と、第２のマイクロストリップライン部分（１３）とを備え、
前記スロットラインが、前記結合区域と前記第２の入力／出力ポートの間で前記信号を伝える第１のスロットライン部分（２１）と、第２のスロットライン部分（２３）とを備える回路において、
前記スロットライン（２）が、前記第２のスロットライン部分を介して前記結合区域に接続された第１のフィルタリング回路（ＳＢＦｓ）を備え、前記第１のフィルタリング回路および前記第２のスロットライン部分が、前記結合区域において前記スロットラインで前記信号の少なくとも１つの望ましい周波数について開放回路のインピーダンスにほぼ等しいインピーダンス、および前記信号の少なくとも１つの望ましくない周波数について短絡のインピーダンスにほぼ等しいインピーダンスを与えるようにインピーダンスが整合されていることを特徴とする、前記回路。
【請求項２】
前記マイクロストリップラインが、前記第２のマイクロストリップライン部分を介して前記結合区域に接続された第２のフィルタリング回路（ＳＢＦｍ）を備え、前記第２のフィルタリング回路および前記第２のマイクロストリップライン部分が、前記結合区域において前記マイクロストリップラインで前記少なくとも１つの望ましい周波数についての前記短絡のインピーダンスにほぼ等しいインピーダンス、および前記少なくとも１つの望ましくない周波数についての前記開放回路のインピーダンスにほぼ等しいインピーダンスを与えるようにインピーダンスが整合されていることを特徴とする、請求項１に記載の遷移回路。
【請求項３】
前記第１のフィルタリング回路が、負荷抵抗器（Ｒｓ）に接続され、前記少なくとも１つの望ましい周波数を阻止できると共に前記少なくとも１つの望ましくない周波数を通すことができるフィルタ（ＳＢＦｓ）であり、前記第２のスロットライン部分が、前記少なくとも１つの望ましい周波数について４分の１波長のスロットラインにほぼ対応することを特徴とする、請求項１又は２に記載の遷移回路。
【請求項４】
前記第２のフィルタリング回路が、負荷抵抗器（Ｒｍ）に接続され、前記少なくとも１つの望ましい周波数を阻止できると共に前記少なくとも１つの望ましくない周波数を通すことができるフィルタ（ＳＢＦｍ）であり、前記第２のマイクロストリップライン部分が、前記少なくとも１つの望ましい周波数について４分の１波長のマイクロストリップラインにほぼ対応することを特徴とする、請求項２に従属する場合の請求項３に記載の遷移回路。
【請求項５】
前記第１のフィルタリング回路および前記第２のフィルタリング回路は、帯域消去フィルタであることを特徴とする、請求項４に記載の遷移回路。
【請求項６】
前記第１のフィルタリング回路および前記第２のフィルタリング回路は、帯域通過フィルタであることを特徴とする、請求項４に記載の遷移回路。
【請求項７】
前記基板は、ＦＲ４型であることを特徴とする、請求項１乃至６のいずれか一項に記載の遷移回路。
【請求項８】
請求項１乃至７のいずれか一項に記載の少なくとも１つの遷移回路を備えることを特徴とする、マルチスタンダード端末。
【発明の詳細な説明】
【技術分野】
【０００１】
本発明は、マイクロストリップラインからスロットラインへの遷移のための回路に関する。本発明は、無線通信の分野、および特に、近い周波数帯域において稼働するマルチスタンダードマルチモードユーザ端末の分野における応用を見出している。
【背景技術】
【０００２】
マルチスタンダードマルチモードユーザ端末は、複数のワイヤレス通信システムまたは無線通信システムを組み込んでおり、一方では異なるシステムに割り当てられる周波数帯域の近さにより、また他方では端末のサイズが次第に減少するにつれてアンテナの物理的近さにより、高度の干渉を受ける。その結果、異なるシステム間の有害な干渉相互作用となる。
【０００３】
これらの干渉相互作用を低減するために、第１の知られた解決策は、端末内で周波数選択フィルタを各システムの送受信チェーン（transmission-reception chain）の導入することにあり、このフィルタは、他のシステムからの干渉信号、および／または問題になっている送受信チェーン（transmission/reception chain）からの干渉、および／または高調波などの考えられているシステムにとって望ましくない周波数を阻止するためのものである。しかし、これらのフィルタのための性能要件（とても低い挿入損失、高い選択性、およびとても狭い通過帯域）は、とても厳しいので、それらは、低コストの技術において、例えば、ＦＲ４基板ベースのプリント回路を用いて現在実現することができない。
【先行技術文献】
【特許文献】
【０００４】
【特許文献１】国際公開第２００６／０１８５６７号パンフレット
【発明の概要】
【発明が解決しようとする課題】
【０００５】
端末が「先細りスロットアンテナ」またはビバルディアンテナとして知られたアンテナなどのスロットアンテナを備えている場合、別の知られた解決策は、送受信チェーンのマイクロストリップラインと端末のスロットアンテナとの間で遷移させるために使用されるマイクロストリップライン／スロットラインを遷移する回路（以下、マイクロストリップライン／スロットライン遷移回路）における干渉信号のフィルタリングにある。そのような解決策は、特許出願の特許文献１に記載されている。この文献では、干渉信号のフィルタリングは、マイクロストリップラインの長さおよび／または遷移回路のスロットラインの長さの調整によって実現される。しかし、この解決策は、それが、有効帯域における遷移回路の透過の応答を損ねるほど望ましくない周波数をフィルタにかけるので満足できるものでない（マイクロストリップラインとスロットラインとの間の電磁結合は、もはや最大ではない）。
【０００６】
本発明の一目的は、有効帯域における遷移回路の性能を劣化させることなく、望ましくない周波数をフィルタにかけることができるマイクロストリップライン／スロットライン遷移回路を提案することである。
【０００７】
本発明の別の目的は、低コストの技術において実現可能であるそのような遷移回路を提案することである。
【課題を解決するための手段】
【０００８】
また、本発明の目的は、マイクロストリップラインからスロットラインへの遷移のための回路であって、グランドプレーンを備えた基板と、グランドプレーンから予め定められた距離で基板に実現されると共に第１の入力／出力ポートから延びるマイクロストリップラインと、マイクロストリップラインにほぼ垂直に第２の入力／出力ポートまで延び、遷移回路のいわゆる結合区域においてマイクロストリップラインに交差するスロットラインを形成するグランドプレーンに実現されたスロットとを備え、マイクロストリップラインが、第１の入力／出力ポートと結合区域の間の信号を伝える第１のマイクロストリップライン部分と、第２のマイクロストリップライン部分とを備え、スロットラインが、結合区域と第２の入力／出力ポートの間で信号を伝える第１のスロットライン部分と、第２のスロットライン部分とを備える回路である。本発明によれば、スロットラインは、第２のスロットライン部分を介して結合区域に接続された第１のフィルタリング回路を備え、第１のフィルタリング回路および第２のスロットライン部分は、結合区域においてスロットラインで信号の少なくとも１つの望ましい周波数について開放回路のインピーダンスにほぼ等しいインピーダンス、および信号の少なくとも１つの望ましくない周波数について短絡のインピーダンスにほぼ等しいインピーダンスを与えるようにインピーダンスが整合されている。
【０００９】
したがって、本発明によれば、前記第２のスロットライン部分に接続されたフィルタリング回路が、反射により、前記遷移回路の前記結合区域において前記スロットラインで前記望ましい周波数について最適な電磁結合状態、および前記望ましくない周波数について零に近い電磁結合状態を与えるように使用される。
【００１０】
好ましい実施形態によれば、フィルタリング回路は、反射により、前記遷移回路の前記結合区域において前記マイクロストリップラインで前記望ましい周波数について最適な電磁結合状態、および前記望ましくない周波数について零に近い電磁結合状態を与えるように前記第２のマイクロストリップライン部分にやはり接続されている。この実施形態では、前記マイクロストリップラインは、前記第２のマイクロストリップライン部分を介して前記結合区域に接続された第２のフィルタリング回路を備え、前記第２のフィルタリング回路および前記第２のマイクロストリップライン部分は、前記結合区域において前記マイクロストリップラインで前記少なくとも１つの望ましい周波数についての短絡のインピーダンスにほぼ等しいインピーダンス、および前記少なくとも１つの望ましくない周波数についての開放回路のインピーダンスにほぼ等しいインピーダンスを与えるようにインピーダンスが整合されている。
【００１１】
特定の実施形態によれば、前記スロットラインに配設された前記第１のフィルタリング回路は、負荷抵抗器に接続され、前記少なくとも１つの望ましい周波数を阻止できると共に前記少なくとも１つの望ましくない周波数を通すことができるフィルタであり、前記第２のスロットライン部分は、前記少なくとも１つの望ましい周波数について４分の１波長のスロットラインにほぼ対応する。
【００１２】
同様に、前記マイクロストリップラインに配設された前記第２のフィルタリング回路は、負荷抵抗器に接続され、前記少なくとも１つの望ましい周波数を阻止できると共に前記少なくとも１つの望ましくない周波数を通すことができるフィルタであり、前記第２のマイクロストリップライン部分が、前記少なくとも１つの望ましい周波数について４分の１波長のマイクロストリップラインにほぼ対応する。
【００１３】
特定の実施形態によれば、前記第１のフィルタリング回路および前記第２のフィルタリング回路は、前記少なくとも１つの望ましい周波数を阻止すると共に前記少なくとも１つの望ましくない周波数を通す帯域消去フィルタである。
【００１４】
別の特定の実施形態によれば、前記第１のフィルタリング回路および前記第２のフィルタリング回路は、前記少なくとも１つの望ましくない周波数を通すと共に前記少なくとも１つの望ましい周波数を阻止する帯域通過フィルタである。
【００１５】
特定の実施形態によれば、前記遷移回路は、例えばＦＲ４型の基板上の前記回路を実現することによって低コストの技術において実現される。
【００１６】
本発明は、上記のような少なくとも１つの遷移回路を備えるマルチスタンダード端末にも関する。
【図面の簡単な説明】
【００１７】
本発明は、以下の添付図面を参照することによって、より良く理解され、他の目的、詳細、特徴、および利点は、後述の詳細な説明を通じてより明らかになろう。
【図１】クノール型の標準的なマイクロストリップライン／スロットライン遷移回路の概略図である。
【図２】図１の回路の透過Ｓ（２，１）におけるシミュレーションした応答を示すグラフである。
【図３】図１の回路の反射Ｓ（１，１）およびＳ（２，２）におけるシミュレーションした応答を示すグラフである。
【図４】本発明による帯域消去フィルタを用いたマイクロストリップライン／スロットライン遷移回路の概略図である。
【図５】図４の回路に用いられたチェビシェフ帯域消去フィルタの透過および反射におけるシミュレーションした応答を示すグラフである。
【図６】チェビシェフフィルタの入力での反射の応答を示すグラフである。
【図７】図４の回路の透過および反射におけるシミュレーションした応答を示すグラフである。
【図８】図４の回路の透過および反射におけるシミュレーションした応答を示すグラフである。
【図９】図４の回路点Ａでの反射における応答を示すグラフである。
【図１０】図４に示されたような回路であるが、帯域消去フィルタが帯域通過フィルタに置き換えられた回路の透過および反射におけるシミュレーションした応答を示すグラフである。
【図１１】図４に示されたような回路であるが、帯域消去フィルタが帯域通過フィルタに置きかえられた回路の透過および反射におけるシミュレーションした応答を示すグラフである。
【発明を実施するための形態】
【００１８】
図１から図３は、クノール型の標準的なマイクロストリップライン／スロットラインの遷移回路を示す。図１を参照すると、遷移回路が、グランドプレーンを備えた基板Ｓ上で実現される。それは、グランドプレーンにエッチングされたマイクロストリップライン１およびスロットライン２を備え、マイクロストリップラインは、グランドプレーンから予め定められた距離に配設される。マイクロストリップライン１は、開放回路ＣＯにおいて第１の端部１ａで、および入力ポートＰ１において第２の端部１ｂで末端をなす。スロットライン２は、短絡ＣＣにおいて第１の端部２ａで、および出力ポートＰ２において第２の端部２ｂで末端をなす。ポートＰ１は、送信チェーンに接続されていると共に、ポートＰ２は、スロットアンテナに接続されている。
【００１９】
マイクロストリップライン１は、スロットライン２、および遷移回路のいわゆる結合区域Ｚにおいて交差した２つのラインにほぼ垂直に延びる。
【００２０】
より具体的には、マイクロストリップライン１は、ポートＰ１に接続されたマイクロストリップライン部分１１を備え、マイクロストリップライン部分１１は、スロットライン２の上に配設された結合部分と呼ばれるマイクロストリップライン部分１２によって延長され、結合部分１２自体は、開放回路において末端をなす部分１３によって延長される。同様に、スロットライン２は、ポートＰ２に接続されたスロットライン部分２１を備え、スロットライン部分２１は、マイクロストリップライン１の下に配設された結合部分と呼ばれるスロットライン部分２２によって延長され、結合部分２２はそれ自体、短絡ＣＣにおいて末端をなす部分２３によって延長される。部分１２および２２は、上述の結合区域Ｚを画定する。ポートＰ１からポートＰ２へのエネルギーの移送は、部分１２および２２の電磁結合によって行われる。
【００２１】
マイクロストリップラインは、スロットラインからより明確にそれを区別するためにハッチングを用いて示されていることに留意されたい。同様に、各ラインの異なる部分をより明確にそれを区別するために、それらは、分離され実際には存在しない線によって接続されている。
【００２２】
マイクロストリップライン１とスロットライン２の間の最適な電磁結合状態を得るために、部分１３および２３は、遷移部区域Ｚにおいて短絡および開放回路をそれぞれ与えなければならない。このために、部分１３の長さは、λｍ１／４にほぼ等しくなければならず、ただし、λｍ１は、望ましい周波数ｆ１（遷移回路の動作周波数）に関連したマイクロストリップライン内の案内波長である。同様に、部分２３の長さは、λｆ１／４にほぼ等しくなければならず、ただし、λｆ１は、望ましい周波数ｆ１に関連したスロットライン内の案内波長である。
【００２３】
最後に、部分１１および２１の機能は、ポートＰ１およびＰ２それぞれにおいて、ポートＰ１およびＰ２に存在するものに近いインピーダンスを与えることであり、Ｐ１について概して５０オーム、およびポート２について８０〜１００オームの程度である。
【００２４】
図３および図４に見られるように、マイクロストリップラインからスロットラインへの遷移部のこの回路は、５ＧＨｚのＷｉＦｉ帯域における機能に適用できる。それは、とても低い価格のＦＲ４材料ベースの多層基板上で実現されてきた。
【００２５】
図３および図４のグラフを見るとき、図１の遷移回路が、以下の特徴、
−６ＧＨｚの程度のとても広い通過帯域、
−０．５ｄＢの程度のポートＰ１とポートＰ２の間の通過帯域における低い挿入損失、
−通過帯域におけるポートＰ１およびＰ２で低い反射係数
を有することに留意されたい。
【００２６】
したがって、この遷移回路は、本質的にとても広帯域であり、ＵＷＢ型のシステムを除いて、対照的にそれらの一部にとって本来はとても狭い帯域である無線通信システムの必要を容易に満たすことに留意されたい。
【００２７】
本発明によれば、それがとても低い挿入損失を維持しつつ無線通信システムについての有効帯域に近づくように遷移回路の通過帯域を減少させることが探られている。したがって、本発明によれば、有効帯域内に含まれる所望の周波数を通過させると共にこの有効帯域の外側の周波数を阻止できる周波数選択性のマイクロストリップライン／スロットラインの遷移部が提案される。
【００２８】
本発明による遷移回路のブロック図が、図４に示されている。図１の図を参照すると、遷移回路は、以下の改善を含む。
−マイクロストリップライン部分１３は、その端部１ａにおいて、負荷抵抗器Ｒｍを介してグランドに接続された帯域消去フィルタＳＢＦｍに接続され、フィルタは、有効帯域の周波数を阻止するように設計されている。
−スロットライン部分１３は、その端部２ａにおいて、負荷抵抗器Ｒｓを介してグランドに接続されたフィルタＳＢＦｓに接続され、このフィルタも、有効帯域の周波数を阻止するように設計されている。
【００２９】
このフィルタの役割は、結合区域Ｚにおける反射により最適な結合状態、つまりしたがって、遷移部の有効帯域においてマイクロストリップライン（それぞれスロットライン）に対して短絡（それぞれ開放回路）を与えることによって必要とされる選択性を提供することである。したがって、提案した回路において重要なことは、フィルタの入力における反射した応答、すなわち、帯域通過型の応答である。
【００３０】
ライン部分１３および２３の役割は、クノール原理、すなわち、Ｂにおいて零インピーダンス（短絡）およびＡにおいて無限のインピーダンス（開放回路）に従ってポートＰ１からポートＰ２への有効帯域内の最大の電力伝達を与える結合区域で必要とされるインピーダンスでフィルタの入力ＣおよびＤのインピーダンスを与えることである。
【００３１】
逆に、有効帯域の外側では、探されているものは、ポートＰ１からポートＰ２へ伝えられる信号の最大減衰である。それをするために、スロットライン部分２３、帯域消去フィルタＳＢＦｓ、およびその負荷Ｒｓによって与えられる点Ａでの結合区域の入力で与えられるインピーダンスは低く、短絡のインピーダンスに近いことが重要である。結果として、有効帯域の外側では、ポートＰ１で伝えられる信号は、マイクロストリップライン部分１２およびフィルタＳＢＦｍを介して負荷Ｒｍへほとんど完全に伝えられ、ポートＰ２へはほとんど伝えられない。やはりこのために、ポートＰ２のインピーダンスが、ポートＰ１のもの（典型的には５０オーム）より高いことが重要であり、それは、ポートＰ２がスロットアンテナの励起ポートであると考えられるとき、概してその場合である。
【００３２】
求められている選択性の最適な状態、遷移部の有効帯域の外側および内側の結合区域で求められるインピーダンスレベル、すなわち、特性インピーダンス、ライン部分１３および２３の長さ、負荷抵抗ＲｍおよびＲｓ、ならびにフィルタＳＢＦｍおよびＳＢＦｓの各々に本質的な要素のインピーダンスを達成するために、複数のパラメータが利用可能である。
【００３３】
ライン部分１１は、必要に応じて、通常値５０オームにおけるポートＰ１でのインピーダンスを与えるように働く。
【００３４】
図４の遷移回路は、５から６ＧＨｚの帯域を通過する遷移をフィルタにかけるためにＡｇｉｌｅｎｔ／ＡＤＳ  ｓｏｆｔｗａｒｅを用いてシミュレーションされた。まず、そこからｓ−パラメータを抽出するために、マイクロストリップラインの部分１２とスロットラインの部分２２の結合が、Ａｇｉｌｅｎｔ／Ｍｏｍｅｎｔｕｍ電磁気シミュレータでモデル化された。次いで、回路のシミュレーションが、回路の他の構成要素、すなわち他のライン部分および搭載されたフィルタ、それらの等価電気モデルを考慮し、したがって実現についてのそれらの技法および技術を無視することによって実行された。
【００３５】
ライン部分は、所与の周波数およびそれらの特性インピーダンスにおけるそれらの電気的な長さによって定められる。帯域消去フィルタに関しては、以下の特徴、
−中央周波数：５．５ＧＨｚ、
−阻止された帯域の外側のリップルレベル：０．１ｄＢ、
−所与の減衰（Ａｐａｓｓ）１ｄＢに対して阻止帯域（ＢＷｐａｓｓ）２．５ＧＨｚ、
−阻止帯域（ＳｔｏｐＴｙｐｅ）内のフィルタの入力で与えられるインピーダンスは、フィルタＳＢＦｍについての開放回路、およびフィルタＳＢＦｓについての短絡である。
−フィルタの次数が２に等しい、
−挿入損失：２ｄＢ、
−フィルタ（Ｚ２）の入力（Ｚ１）および出力における基準インピーダンス、
−フィルタＳＢＦｍの場合、Ｚ１＝Ｚ２−５０Ω、
−フィルタＳＢＦｓの場合、Ｚ１＝Ｚ２＝８０Ω
を有するチェビシェフ型の応答を有するフィルタが選択された。
【００３６】
このようにして定められたフィルタＳＢＦｍの応答が、図５および図６によって示されている。図５は、挿入損失、通過帯域、および阻止レベルを示し、図６は、このフィルタＳＢＦｍが、中央周波数５．５ＧＨｚにおいてその入力で開放回路を実際には示すことを示す。
【００３７】
帯域消去フィルタの反射の応答が、５から６ＧＨｚ帯域を通過する帯域通過フィルタのものであることを特にここでは留意されたい。この逆（反射）応答およびその利点は、本発明によって利用されている。
【００３８】
回路の２つのフィルタは、次数２であると共に、２ｄＢの理論的な挿入損失を有する。図４の回路の組み込まれた構成要素のパラメータは、以下の表に与えられる。それらは、所望の性能を達成するのに必要な状態を実現するように最適化されている。
【００３９】
【表１】
2015505198.tif 000003
【００４０】
以下の性能が、遷移回路について得られる。図７は、遷移部の透過の応答を示し、図８は、反射の応答を示す。透過の応答は、通過帯域が５から６ＧＨｚの範囲である帯域通過型である。この帯域のすぐ近くにおいて、信号は、２０ｄＢを超えて阻止される。また、遷移部は、通過帯域において良くインピーダンスが整合しており、反射レベルは、−１２ｄＢ未満である。
【００４１】
遷移部の低い挿入損失、約０．５ｄＢは、留意されるべきである。したがって、帯域消去フィルタの挿入損失（２ｄＢ）が、遷移部の挿入損失に影響を及ぼさないことがここに明らかに実証されている。このことは、フィルタおよび遷移回路自体が、低コストの技術、例えば、ＦＲ４型の基板上で実現することができることを意味するので、これは非常に大きな利点である。
【００４２】
遷移部の通過帯域の外側では、励起ポートＰ１も、良くインピーダンスが整合している（ｄＢ（Ｓ１１））。これは、信号が反射されないと共に、負荷、すなわち、ここでは帯域消去フィルタＳＢＦｍの負荷Ｒｍへ伝えられることを示す。遷移部の通過帯域の外側では、スロット帯域消去フィルタＳＢＦｓは、点Ａにおける結合区域においてとても低いインピーダンスを与えるので、これは可能にされる。これは、図９に実証されている。この図では、帯域消去フィルタは、（通過帯域の外側の）３ＧＨｚおよび８ＧＨｚにおける短絡ならびに（通過帯域内の）５．５ＧＨｚにおける開放回路に近い低いインピーダンスを点Ａにおいて与えることがわかる。
【００４３】
上述のように、上記の遷移回路の透過の応答は、帯域通過型であり、除去されるべき干渉する周波数は、回路の通過帯域の外側に存在する。
【００４４】
別の実施形態によれば、帯域消去フィルタは、帯域消去型の遷移回路の応答を得るように帯域通過フィルタと置き換えることができる。そのような応答は、例えば、はっきりと特定された周波数帯域において干渉する信号を阻止することを可能にさせる。
【００４５】
この実施形態は、シミュレーションされている。このシミュレーションに用いられた２つの帯域通過フィルタは、２次であり、約４．２ＧＨｚを中心にし、１００ＭＨｚに等しいとても狭い帯域幅を有する。遷移部のシミュレーションした応答は、図１０および図１１に示されている。透過の応答では、標準的な遷移部の帯域通過型の応答は、ここで見出される。しかし、遷移回路の２つの帯域通過フィルタの存在により、帯域は、約４．２ＧＨｚでカットされることを特に留意されたい。
【００４６】
本発明による遷移回路は、以下の利点を有する。
−遷移部は、超周波数選択性とすることができ、挿入損失は、回路に導入されるフィルタのものに依存せず、本質的に結合区域のものに依存し、このことは、フィルタがとても低コストの技術を用いて実現することができ、フィルタの共鳴要素の品質係数が低くなり得ることを意味する。
−遷移部は、挿入されたフィルタが、まさに周波数選択的応答を得るために高次であることを要求せず、このため、サイズの観点で利点を示す。
【００４７】
さらに、いくつかの変形例が可能である。
−遷移回路の周波数選択性能を損ねるほどのマイクロストリップラインに取り付けられたフィルタＳＢＦｍは、なくすことができる。
−スロットアンテナの励起への応用は別として、回路は、標準的なスロットライン／マイクロストリップライン遷移回路（逆遷移回路）をポートＰ２に接続するのに十分である場合、送受信チェーンに挿入される標準的なフィルタリング回路として使用することもできる。
−遷移回路の応答は、フィルタがある場合、周波数の調節が可能とすることができる。
【図１】
2015505198.tif 000004
【図２】
2015505198.tif 000005
【図３】
2015505198.tif 000006
【図４】
2015505198.tif 000007
【図５】
2015505198.tif 000008
【図７】
2015505198.tif 000009
【図８】
2015505198.tif 000010
【図１０】
2015505198.tif 000011
【図１１】
2015505198.tif 000012
【図６】
2015505198.tif 000013
【図９】
2015505198.tif 000014
【国際調査報告】
2015505198.tif 000015
2015505198.tif 000016
2015505198.tif 000017
2015505198.tif 000018
2015505198.tif 000019
2015505198.tif 000020